【手続補正書】
【提出日】平成18年6月14日(2006.6.14)
【手続補正１】
【補正対象書類名】明細書
【補正対象項目名】００２３
【補正方法】変更
【補正の内容】
【００２３】
音源補正部４は、デジタルフィルタで構成されている。そのデジタルフィルタの係数は、制御部９により調整可能となっている。音源補正部４は、帯域分割部３から供給される第１の周波数帯域の入力信号に対して、ターゲットの音場での両耳間レベル差と、再生音場での両耳間レベル差との誤差を解消するように、両耳間補正を施して音源合成部６に供給する。
【手続補正２】
【補正対象書類名】明細書
【補正対象項目名】００２８
【補正方法】変更
【補正の内容】
【００２８】
図３は、上記図２の音場制御システム１の音場調整時の動作を説明するためのフローチャートである。この音場調整の動作は、不図示のリモコン等でユーザにより音場調整の実行指示が入力された場合に実行される。
【手続補正３】
【補正対象書類名】明細書
【補正対象項目名】００３９
【補正方法】変更
【補正の内容】
【００３９】
帯域分割部２２は、帯域分割部２１と同様に、切替器１３を介してＲＣＨの音声信号が供給されるローパスフィルタＬＰＦＲとハイパスフィルタＨＰＦＲによって構成されている。このうち、ローパスフィルタＬＰＦＲは、例えば５００Ｈｚ以下の信号を通過させ、ハイパスフィルタＨＰＦＲは、例えば５００Ｈｚ以上の信号を通過させる。ローパスフィルタＬＰＦＲ、ハイパスフィルタＨＰＦＲは、それぞれローパスフィルタＬＰＦＬ、ハイパスフィルタＨＰＦＬと同じ分割帯域に設定されている。ローパスフィルタＬＰＦＲはＲＣＨの音声信号の低域周波数成分を音源補正部２４に供給し、ハイパスフィルタＨＰＦＲはＲＣＨの音声信号の中高域周波数成分をゲイン補正部２６に供給する。
【手続補正４】
【補正対象書類名】明細書
【補正対象項目名】００５６
【補正方法】変更
【補正の内容】
【００５６】
測定されたインパルス応答は、帯域分割部４４、４５のローパスフィルタＬＰＦLa、ＬＰＦRaで帯域制限され、帯域制限されたインパルス応答ｌ＿ｈ’ＬＬ＝ＬＰＦ＊ｈ’ＬＬ、ｌ＿ｈ’ＬＲ＝ＬＰＦ＊ｈ’ＬＲ、ｌ＿ｈ’ＲＬ＝ＬＰＦ＊ｈ’ＲＬ、ｌ＿ｈ’ＲＲ＝ＬＰＦ＊ｈ’ＲＲが両耳間レベル差検出部４６に供給される（ステップＳ１３）。
【手続補正５】
【補正対象書類名】明細書
【補正対象項目名】００６３
【補正方法】変更
【補正の内容】
【００６３】
制御部５０は、メモリに記憶しているターゲットの音場の両耳間レベル差ｔａｒｇｅｔ＿ｔｒｉｌｄと、再生音場の両耳間レベル差ｔｒｉｌｄとの近似誤差ｅｒｒｏｒ＝Σ（ｔｒｉｌｄ−ｔａｒｇｅｔ＿ｔｒｉｌｄ）２を算出する（ステップＳ２７）。そして、制御部５０は、近似誤差ｅｒｒｏｒ≦ｔｈ（定数）であるか否かを判定する（ステップＳ２８）。この判定の結果、近似誤差ｅｒｒｏｒ≦ｔｈ（定数）の場合には（ステップＳ２８の「Ｙ」）、制御部５０は、設定したデジタルフィルタＦｉｌｔｅｒＬ、Ｒの係数ＦｉｌＬ、ＦｉｌＲに応じて、ゲイン補正部２５、２６のゲインコントローラＧＬ、ＧＲのゲインを設定する（ステップＳ３０）。より具体的には、制御部５０は、帯域分割部２１、２２のハイパスフィルタＨＰＦＬ、ＨＰＦＲを通過した中高周波数帯域の入力信号のレベルを、音源補正部２３、２４のデジタルフィルタＦｉｌｔｅｒＬ、Ｒで補正された低周波数帯域の入力信号のレベルと合わせるために、ゲイン補正部２５、２６のゲインコントローラＧＬ、ＧＲのゲインを制御する。
【手続補正６】
【補正対象書類名】明細書
【補正対象項目名】００６７
【補正方法】変更
【補正の内容】
【００６７】
音源補正部２３のデジタルフィルタＦｉｌｔｅｒＬは、図７に示す如く、１サンプル遅延させるＮ−１段の遅延回路ＺＬ１〜ＺＬＮ−１と、遅延回路ＺＬ１〜ＺＬＮ−１の出力を設定された係数で乗算するＮ段の乗算器ＦｉｌＬ（０）〜ＦｉｌＬ（Ｎ−１）とを備えて構成されている。ＦｉｌＬの初期値は、ＦｉｌＬ＝［１，０，０、・・・・・］となっている。図８は、ＦｉｌＬ＝［１，０，０、・・・・・］を模式的に示す図である。Ｉｎｄｅｘ＝０の場合だけ振幅「１」、他の場合は「０」となっている。制御部５０は、ＦｉｌＬ（２）〜ＦｉｌＬ（Ｎ）の係数値を設定して、ターゲットの音場と再生音場の両耳間レベル差の変動を制御する。
【手続補正７】
【補正対象書類名】明細書
【補正対象項目名】００６９
【補正方法】変更
【補正の内容】
【００６９】
同図（Ｂ）は０−Ｔ１間のＦｉｌＬを、同図（Ｃ）は０−Ｔ１間のＦｉｌＲを、同図（Ｄ）はＴ１−Ｔ２間のＦｉｌＬを、同図（Ｅ）はＴ１−Ｔ２間のＦｉｌＲを模式的に示している。
【手続補正８】
【補正対象書類名】明細書
【補正対象項目名】００７１
【補正方法】変更
【補正の内容】
【００７１】
これに対して、同図（Ａ）に示すように、Ｔ１−Ｔ２間では、右耳のエネルギーが大きくなっている。このため、Ｔ１−Ｔ２間では、同図（Ｄ）、（Ｅ）に示す如く、右耳のエネルギーを打ち消し、左耳のエネルギーを増大させるようにＦｉｌＬ、ＦｉｌＲを設定する。
【手続補正９】
【補正対象書類名】明細書
【補正対象項目名】００７５
【補正方法】変更
【補正の内容】
【００７５】
図１０（Ａ）は、再生音場の両耳間レベル差ｔｒｉｌｄの一例、図１０（Ｂ）は、ターゲットの音場の両耳間レベル差ｔａｒｇｅｔ＿ｔｒｉｌｄの一例を示している。図１０（Ｃ）は、誤差ベクトルｅｒｒｏｒ＿ｖｅｃの一例を示している。
【手続補正１０】
【補正対象書類名】明細書
【補正対象項目名】００７９
【補正方法】変更
【補正の内容】
【００７９】
図１０（Ｄ）は、ｅｒｒｏｒ＿ｖｅｃの振幅をｍｕで調整したｍｕ・ｅｒｒｏｖｅｃを示している。図１０（Ｄ）に示す例では、ｍｕ・ｅｒｒｏｒ＿ｖｅｃ（ｉｎｄｅｘ）は、例えば、ｉｎｄｅｘ＝０〜Ｔ１で正になっており、再生音場では、左耳のエネルギーが大きすぎる。ｉｎｄｅｘ＝０〜Ｔ１で、上記式（９）により、ＦｉｌＬ（ｉｎｄｅｘ）を小さくし、上記式（１０）より、ＦｉｌＲ（ｉｎｄｅｘ）を大きくする。これにより、左耳のエネルギーを小さくすることが可能となる。
【手続補正１１】
【補正対象書類名】明細書
【補正対象項目名】００８５
【補正方法】変更
【補正の内容】
【００８５】
帯域分割部２０２は、帯域分割部２０１と同様に、切替器１３を介してＲＣＨの音声信号が供給される複数個ｎのバンドパスフィルタＢＦＲ１〜ＢＦＲｎによって構成されている。このうち、ＢＦＲ１はＬＰＦであり、例えば５００Ｈｚ以下の信号を通過させ、ＢＦＲ２〜ＢＦＲｎはＢＰＦであり、例えば５００Ｈｚ以上の信号を通過させる。各バンドパスフィルタＢＦＲ１〜ＢＦＲｎは、全オーディオ周波数帯域をｎ個に分割したときのそれぞれの分割帯域に割り当てられている。バンドパスフィルタＢＦＲ１〜ＢＦＲｎは、それぞれバンドパスフィルタＢＦＬ１〜ＢＦＬｎと同じ分割帯域に設定されている。ＢＦＲ１はＲＣＨの音声信号の低域周波数成分を音源補正部２４に供給し、ＢＦＲ２〜ＢＦＲｎはＲＣＨの音声信号の中高域周波数成分をゲイン補正部２６に供給する。
【手続補正１２】
【補正対象書類名】明細書
【補正対象項目名】００８８
【補正方法】変更
【補正の内容】
【００８８】
加算器２７は、音源補正部２３から供給される音声信号と、反射音付加部２０３の反射音付加フィルタ２０３L2〜２０３Lnから供給されるｎ−１個の音声信号とを加算し、その加算した音声信号を増幅器１４に供給する。
【手続補正１３】
【補正対象書類名】明細書
【補正対象項目名】００９２
【補正方法】変更
【補正の内容】
【００９２】
実施例１では、２ＣＨのソースに対応した音場制御システムについて説明した。これに対して、実施例４では、５．１ｃｈのマルチＣｈソースに対応した音場制御システムについて説明する。図１３は、実施例４にかかる音場制御システム３００の音場空間を模式的に示した図である。図１３では、音源、増幅器、帯域分割部、特性測定部、および制御部の図示を省略している。
【手続補正１４】
【補正対象書類名】明細書
【補正対象項目名】００９３
【補正方法】変更
【補正の内容】
【００９３】
図１３に示すように、５．１ＣＨの場合には、前方に３つのスピーカ３０１、３０２、３０３、後方に２つのスピーカ３０４、３０５、部屋の片隅に不図示のサブウーハーが配置される。かかるサブウーハーは、常に鳴動しているわけではなく超低域周波数成分の音声信号しか供給されないため、ここでは５つのスピーカ３０１〜３０５のみを考える。
【手続補正１５】
【補正対象書類名】明細書
【補正対象項目名】００９５
【補正方法】変更
【補正の内容】
【００９５】
図１４は、音場制御システム３００におけるターゲットの音場での両耳間レベル差の算出動作を説明するためのフローチャートを示している。図１４を参照して、音場制御システム３００におけるターゲットの音場での両耳間レベル差の算出動作を説明する。
【手続補正１６】
【補正対象書類名】明細書
【補正対象項目名】０１０１
【補正方法】変更
【補正の内容】
【０１０１】
図１５において、まず、デジタルフィルタＦｉｌｔｅｒＬ３１０、３１２、ＦｉｌｔｅｒＲ３０３、３１３の係数ＦｉｌＬ、ＦｉｌＲを単位インパルスに初期化（ＦｉｌＬ＝［１，０，０，・・・］、ＦｉｌＲ＝［１，０，０，・・・］）する（ステップＳ４１）。つぎに、再生音場にて、音源（不図示）からインパルス応答測定用信号（Ｍ系列やＴＳＰ等）を供給して、増幅器（不図示）を介して、５つのスピーカ３０１〜３０５から放音する（ステップＳ４２）。そして、５つのスピーカ３０１〜３０５から放音されるインパルス応答測定用信号をマイクロフォン（不図示）によって収音し、インパルス応答測定部（不図示）で、インパルス応答（ｈＬＬ、ｈＬＲ、ｈＲＬ、ｈＲＲ、ｈＣＬ、ｈＣＲ、ｈＳＬＬ、ｈＳＬＲ、ｈＳＲＬ、ｈＳＲＲ）を測定する（ステップＳ４３）。